(57)【要約】【課題】本発明は、アプリケーションが動作している場合に省電力移行させるときに利用性を向上させつつ適切に省電力を向上させる画像形成装置に関する。【解決手段】画像形成装置１は、情報処理装置の接続されたネットワークに接続され、プリント処理、コピー処理等の各種アプリケーション処理を行うとともに、電力消費を削減する省電力モードに移行するに際して、コントローラ２が、操作表示部６または情報処理装置でユーザの省電力モードへの移行条件として設定するユーザ設定と予めシステムで設定されているシステム設定を切り換える場合に、ユーザ設定とシステム設定のいずれを優先させるかの優先切換設定が操作表示部６または情報処理装置で設定され、アプリケーションの動作中に省電力モード移行条件が発生すると、当該優先切換設定に応じてユーザ設定とシステム設定の切換制御を行って省電力モードに移行する。【選択図】          図１
2005205791.tif 000002
【特許請求の範囲】
【請求項１】
情報処理装置の接続されたネットワークに接続され、各種設定の入力操作の行われる操作手段、原稿の画像を読み取る読取手段、データを用紙に記録出力する記録手段及び前記ネットワークに接続されて前記情報処理装置からの指示操作を受け付けるネットワーク通信手段等の各種資源を備え、前記資源を使用したプリント処理、コピー処理等の各種アプリケーション処理を行うとともに、所定部分への電源供給を制限して電力消費を削減する省電力モードを有する画像形成装置であって、前記操作手段または前記ネットワークを介して前記情報処理装置でユーザによって設定される省電力モードへの移行条件としてのユーザ設定と予めシステムで設定されている省電力モードへの移行条件としてのシステム設定を切り換える切換手段を備え、当該切換手段による前記ユーザ設定と前記システム設定のいずれを優先させるかの優先切換設定が前記操作手段または前記情報処理装置で設定され、前記アプリケーションの動作中に前記省電力モード移行条件が発生すると、当該優先切換設定に応じて当該切換手段で前記ユーザ設定と前記システム設定の切換制御を行って、前記省電力モードに移行することを特徴とする画像形成装置。
【請求項２】
前記画像形成装置は、前記ユーザ設定が、前記アプリケーション毎に設定可能であり、前記アプリケーションの動作中に前記省電力モード移行条件が発生すると、当該動作中のアプリケーションに対して設定されているユーザ設定と前記システム設定の優先切換制御を行って前記省電力モードに移行することを特徴とする請求項１記載の画像形成装置。
【請求項３】
前記画像形成装置は、前記操作手段からの操作による前記省電力モードへの移行設定において、前記ユーザ設定を優先させる設定を行う場合には、当該操作手段による当該ユーザ優先設定を当該画像形成装置の管理者にのみ許可することを特徴とする請求項１または請求項２記載の画像形成装置。
【請求項４】
前記画像形成装置は、前記ネットワークに接続された前記情報処理装置からの操作による前記省電力モードへの移行設定において、前記ユーザ設定を優先させる設定を行う場合には、当該ネットワークを介しての当該情報処理装置による当該ユーザ設定を当該画像形成装置の管理者にのみ許可することを特徴とする請求項１または請求項２記載の画像形成装置。
【発明の詳細な説明】
【技術分野】
【０００１】
本発明は、画像形成装置に関し、詳細には、アプリケーションが動作している場合に省電力移行させるときに利用性を向上させつつ適切に省電力を向上させるデジタル複写装置、アナログ複写装置等の画像形成装置に関する。
【背景技術】
【０００２】
画像形成装置は、従来、ファクシミリ装置、複写装置、プリンタ装置等のように、単独の装置となっていたが、近年、ファクシミリ機能、コピー機能、プリンタ機能等のうち複数の機能（アプリケーション）を搭載した複合装置が出現している。
【０００３】
また、近年、画像形成装置においても、高速のＣＰＵ（Central Processing Unit ）が導入され、また、大容量の記憶媒体が搭載されるようになり、複雑な演算処理を行って、多くの印刷処理を行う印刷機能が付加されてきている。
【０００４】
さらに、画像形成装置は、待機時の消費電力を削減する低電力モードを備えており、待機状態で、一定時間の間にユーザの操作や受信動作がないと、操作表示部の表示をオフにしたり、定着部の定着温度を通常状態よりも低い温度に制御したり、装置本体のモータ等の駆動箇所を減らしたり、さらには、周辺機の動作を行わせないようして、消費電力を削減する低電力モードに移行する。
【０００５】
また、近年、画像形成装置においては、国際エナジースター計画に従った低電力の移行時間の設定やオートオフ／スリープモードへの移行時間を設定できるように、ユーザによるタイマ設定が行える構成となっている（特許文献１参照）。
【０００６】
さらに、画像形成装置においては、省電力状態への移行条件として、省電力移行キーの押下、電源キーの押下、ユーザが設定したタイマのカウントのタイムアップ等があり、また、省電力状態からの復帰条件には、アプリケーションが動作する場合、電源キーが押下された場合等がある。
【０００７】
【特許文献１】特開２００２−２８１１９８号公報
【発明の開示】
【発明が解決しようとする課題】
【０００８】
しかしながら、上記従来技術にあっては、利用性を向上させつつ省電力を図る上で改良の必要があった。
【０００９】
すなわち、画像形成装置においては、省電力状態へ移行する場合として、アプリケーションが動作していない状態、アプリケーションが動作している状態の両方が考えられるが、この省電力状態への移行とアプリケーションの動作との関係においては、アプリケーションの動作継続を優先させてから省電力状態へ移行させるか、アプリケーションの動作よりも省電力状態に移行して電源オフの状態へ遷移させる方を優先するかが問題となる。
【００１０】
また、画情報メモリとしてハードディスクを備えた画像形成装置においては、省電力状態に移行するためには、ハードディスクの制御をも行う必要があり、省電力移行した後に電源オフ状態に移行するためには、ハードディスク駆動制御、ハードディスク電源制御も行わなくてはならない。
【００１１】
このように、画像形成装置においては、省電力状態に移行する場合に、何を優先して省電力に移行するかが、不明瞭になり、利用性を向上させつつ省電力を如何に向上させるかが重要な問題となってきている。
【００１２】
そこで、本発明は、省電力状態へ移行しようとする場合に、ユーザの設定により強制的に省電力モードに移行するか、システムとして安全に全ての動作条件を補償して省電力モードに移行するかをユーザが選択可能とし、利用性を向上させつつ省電力を向上させる画像形成装置を提供することを目的としている。
【００１３】
具体的には、請求項１記載の発明は、情報処理装置の接続されたネットワークに接続され、各種資源を使用したプリント処理、コピー処理等の各種アプリケーション処理を行うとともに、所定部分への電源供給を制限して電力消費を削減する省電力モードに移行するに際して、操作手段またはネットワークを介して情報処理装置でユーザによって設定される省電力モードへの移行条件としてのユーザ設定と予めシステムで設定されている省電力モードへの移行条件としてのシステム設定を切り換える切換手段によるユーザ設定とシステム設定のいずれを優先させるかの優先切換設定が操作手段または情報処理装置で設定され、アプリケーションの動作中に省電力モード移行条件が発生すると、当該優先切換設定に応じて当該切換手段でユーザ設定とシステム設定の切換制御を行って、省電力モードに移行することにより、省電力効果をユーザの望んだ設定で実施し、利用性を向上させつつ省電力を向上させる画像形成装置を提供することを目的としている。
【００１４】
請求項２記載の発明は、ユーザ設定を、アプリケーション毎に設定可能と、アプリケーションの動作中に省電力モード移行条件が発生すると、当該動作中のアプリケーションに対して設定されているユーザ設定とシステム設定の優先切換制御を行って省電力モードに移行することにより、アプリケーション毎に、省電力効果をユーザの望んだ設定で実施し、利用性をより一層向上させつつ省電力を向上させる画像形成装置を提供することを目的としている。
【００１５】
請求項３記載の発明は、操作手段からの操作による省電力モードへの移行設定において、ユーザ設定を優先させる設定を行う場合には、当該操作手段による当該ユーザ優先設定を当該画像形成装置の管理者にのみ許可することにより、画像形成装置の管理者以外がシステム動作を変更することを防止し、システムを安全に動作させるとともに、利用性を向上させつつ省電力を向上させる画像形成装置を提供することを目的としている。
【００１６】
請求項４記載の発明は、ネットワークに接続された情報処理装置からの操作による省電力モードへの移行設定において、ユーザ設定を優先させる設定を行う場合には、当該ネットワークを介しての当該情報処理装置による当該ユーザ設定を当該画像形成装置の管理者にのみ許可することにより、ネットワークを介しての操作においても画像形成装置の管理者以外がシステム動作を変更することを防止し、システムを安全に動作させるとともに、利用性を向上させつつ省電力を向上させる画像形成装置を提供することを目的としている。
【課題を解決するための手段】
【００１７】
請求項１記載の発明の画像形成装置は、情報処理装置の接続されたネットワークに接続され、各種設定の入力操作の行われる操作手段、原稿の画像を読み取る読取手段、データを用紙に記録出力する記録手段及び前記ネットワークに接続されて前記情報処理装置からの指示操作を受け付けるネットワーク通信手段等の各種資源を備え、前記資源を使用したプリント処理、コピー処理等の各種アプリケーション処理を行うとともに、所定部分への電源供給を制限して電力消費を削減する省電力モードを有する画像形成装置であって、前記操作手段または前記ネットワークを介して前記情報処理装置でユーザによって設定される省電力モードへの移行条件としてのユーザ設定と予めシステムで設定されている省電力モードへの移行条件としてのシステム設定を切り換える切換手段を備え、当該切換手段による前記ユーザ設定と前記システム設定のいずれを優先させるかの優先切換設定が前記操作手段または前記情報処理装置で設定され、前記アプリケーションの動作中に前記省電力モード移行条件が発生すると、当該優先切換設定に応じて当該切換手段で前記ユーザ設定と前記システム設定の切換制御を行って、前記省電力モードに移行することにより、上記目的を達成している。
【００１８】
この場合、例えば、請求項２に記載するように、前記画像形成装置は、前記ユーザ設定が、前記アプリケーション毎に設定可能であり、前記アプリケーションの動作中に前記省電力モード移行条件が発生すると、当該動作中のアプリケーションに対して設定されているユーザ設定と前記システム設定の優先切換制御を行って前記省電力モードに移行するものであってもよい。
【００１９】
また、例えば、請求項３に記載するように、前記画像形成装置は、前記操作手段からの操作による前記省電力モードへの移行設定において、前記ユーザ設定を優先させる設定を行う場合には、当該操作手段による当該ユーザ優先設定を当該画像形成装置の管理者にのみ許可するものであってもよい。
【００２０】
さらに、例えば、請求項４に記載するように、前記画像形成装置は、前記ネットワークに接続された前記情報処理装置からの操作による前記省電力モードへの移行設定において、前記ユーザ設定を優先させる設定を行う場合には、当該ネットワークを介しての当該情報処理装置による当該ユーザ設定を当該画像形成装置の管理者にのみ許可するものであってもよい。
【発明の効果】
【００２１】
請求項１記載の発明の画像形成装置によれば、情報処理装置の接続されたネットワークに接続され、各種資源を使用したプリント処理、コピー処理等の各種アプリケーション処理を行うとともに、所定部分への電源供給を制限して電力消費を削減する省電力モードに移行するに際して、操作手段またはネットワークを介して情報処理装置でユーザによって設定される省電力モードへの移行条件としてのユーザ設定と予めシステムで設定されている省電力モードへの移行条件としてのシステム設定を切り換える切換手段によるユーザ設定とシステム設定のいずれを優先させるかの優先切換設定が操作手段または情報処理装置で設定され、アプリケーションの動作中に省電力モード移行条件が発生すると、当該優先切換設定に応じて当該切換手段でユーザ設定とシステム設定の切換制御を行って、省電力モードに移行するので、省電力効果をユーザの望んだ設定で実施することができ、利用性を向上させつつ省電力を向上させることができる。
【００２２】
請求項２記載の発明の画像形成装置によれば、ユーザ設定を、アプリケーション毎に設定可能と、アプリケーションの動作中に省電力モード移行条件が発生すると、当該動作中のアプリケーションに対して設定されているユーザ設定とシステム設定の優先切換制御を行って省電力モードに移行するので、アプリケーション毎に、省電力効果をユーザの望んだ設定で実施することができ、利用性をより一層向上させつつ省電力を向上させることができる。
【００２３】
請求項３記載の発明の画像形成装置によれば、操作手段からの操作による省電力モードへの移行設定において、ユーザ設定を優先させる設定を行う場合には、当該操作手段による当該ユーザ優先設定を当該画像形成装置の管理者にのみ許可するので、画像形成装置の管理者以外がシステム動作を変更することを防止することができ、システムを安全に動作させることができるとともに、利用性を向上させつつ省電力を向上させることができる。
【００２４】
請求項４記載の発明の画像形成装置によれば、ネットワークに接続された情報処理装置からの操作による省電力モードへの移行設定において、ユーザ設定を優先させる設定を行う場合には、当該ネットワークを介しての当該情報処理装置による当該ユーザ設定を当該画像形成装置の管理者にのみ許可するので、ネットワークを介しての操作においても画像形成装置の管理者以外がシステム動作を変更することを防止することができ、システムを安全に動作させることができとともに、利用性を向上させつつ省電力を向上させることができる。
【発明を実施するための最良の形態】
【００２５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２６】
図１〜図５は、本発明の画像形成装置の一実施例を示す図であり、図１は、本発明の画像形成装置の一実施例を適用した画像形成装置１のブロック構成図である。
【００２７】
図１において、画像形成装置１は、コントローラ２、ハードディスク（ＨＤＤ）３、ハードディスク制御部４、ドライバ５、操作表示部６、操作表示制御部７、エンジン８及びエンジン制御部９等を備えており、画像処理装置１の操作に関して、実際に画像処理装置１を操作する操作部操作Ｉ／Ｆ１０と、ネットワーク上の図示しないコンピュータ等の情報処理装置から画像処理装置１の操作を行うネットワーク操作Ｉ／Ｆ（ネットワーク通信手段）１１を備えている。
【００２８】
ハードディスク３は、各種データや画像データを記憶し、ハードディスク制御部４がコントローラ２の制御下で、画像データ３へのデータの書込、読出、消去等を実行する。
【００２９】
エンジン８は、原稿を主走査・副走査して原稿の画像を読み取るスキャナエンジン（読取手段）及び画像データに基づいて、例えば、電子写真方式で画像を記録紙に記録出力するプロッタエンジン（記録手段）であり、エンジン制御部９が、コントローラ２の制御下で制御して、スキャナエンジンの読取動作及びプリンタエンジンによる画像の記録動作を制御する。
【００３０】
操作表示部（操作手段）６は、図２に示すように、アプリケーションの動作開始を指示するスタートキー２１、印刷部数等の入力操作を行うテンキー２２、画像形成装置１を省電力状態（省電力モード）に移行させる省電力キー２３、省電力設定等の画像形成装置１で行う設定変更メニューの画面表示を指示操作する設定変更メニューキー２４、画像形成装置１の備えているスキャナアプリケーション、プリンタアプリケーション、コピーアプリケーション、ファクシミリアプリケーション等のアプリケーションの切り換えを行うアプリケーション切換キー２５、印刷モードを選択する印刷モード選択キー２６、アプリケーションやコントローラ２からの情報をユーザに対してバナー表示するバナー表示部２７及び画像形成装置１のアプリケーションの動作状態やエンジンの動作状態に従って、ユーザに対して動作状況や画像形成装置１の設定情報を表示するとともに、タッチキーを表示するタッチパネルを備えたパネル表示部２８等を備えており、アプリケーション切換キー２５は、各キーが画像形成装置１の搭載しているアプリケーションと１対１で対応している。
【００３１】
上記スタートキー２１、省電力キー２３、設定変更メニューキー２４及びアプリケーション切換キー２５にそれぞれ各キーの動作状態を示すＬＥＤ（Light Emitting Diode）２１ａ、２３ａ、２４ａ、２５ａが設けられている。
【００３２】
再び、図１において、操作表示制御部７は、操作表示部６のキー操作内容を取得してコントローラ２に出力するとともに、コントローラ２の制御下で、操作表示部６の各ＬＥＤ２１ａ、２３ａ、２４ａ、２５ａの点灯／消灯を制御するとともに、バナー表示部２７及びパネル表示部２８の表示を制御し、また、パネル表示部２８のタッチパネルのタッチ操作を取得してコントローラ２に出力する。
【００３３】
コントローラ（切換手段）２は、ハードディスク３の電源状態の管理、ハードディスク制御部４を介したハードディスク３の動作制御、エンジン８のスキャナエンジン、プロッタエンジンの電源状態の管理及びエンジン制御９を介しての各エンジンの制御等を行って、画像形成装置１の備えている各アプリケーションの機能を実行する。コントローラ２は、エンジン８やハードディスク３に対して直接アクセウスすることはなく、必ずドライバを介在させてエンジン制御、ハードディスク制御等のコントロールを行っている。
【００３４】
画像形成装置１は、通常の複写動作では、まず、アプリケーションがコントローラ２に対して動作開始を通知する。このとき、ユーザは、このアプリケーションの動作を行わせるために、操作表示部６から各種入力を行い、アプリケーションの動作設定を行う。動作設定が完了すると、その情報を元にコントローラ２が、スキャナエンジンに対して原稿読み取り開始を通知する。スキャナエンジンは、原稿の読み取り開始を受けて、原稿の読み取りを行って、読み取った原稿の画情報をデジタルの画像情報に変換し、その画像情報をコントローラ２に送る。画像情報を受け取ったコントローラ２は、画像の蓄積や一時保存が必要な場合には、ハードディスク制御部４を通してハードディスク３に画像を蓄積し、また、画像の蓄積や一時保存を行わずに印刷を行う場合は、画像をプロッタエンジンに送信して、プリンタエンジンに画像を順次用紙に印刷させる。
【００３５】
次に、本実施例の作用を説明する。本実施例の画像形成装置１は、ユーザの設定したアプリケーション毎の省電力状態への移行設定状態（ユーザ設定）と予め画像形成装置１にシステムとして設定されているシステム設定のいずれを優先させるかのユーザによる設定操作に応じて省電力状態への移行制御を行う省電力遷移管理処理を実行する。
【００３６】
まず、アプリケーション毎の省電力状態への移行設定操作について、図３及び図４に基づいて説明する。ユーザは、省電力移行設定を行う場合、操作表示部６の設定変更メニューキー２４を操作して、パネル表示部２８の表示を、メニュー表示画面に切り換えた後、図３に示すような省電力設定項目画面３０を表示し、省電力設定項目画面３０では、各種設定可能な項目が機能別のタグ毎に表示される。この省電力設定項目画面３０で、複数表示されるタグから、ユーザが省電力に関するタグを選択して、図４に示すような省電力設定画面３１を開くと、操作部操作とネットワーク操作で個別に設定することのできる設定項目が表示される。この省電力設定画面３１では、操作部操作とネットワーク操作で、それぞれユーザ優先、ユーザ優先でのセキュリティ設定、システム優先を選択項目として表示し、かつ、これらの選択項目をタッチキーとして表示する。この省電力設定画面３１でユーザ設定を選択設定する場合には、セキュリティ設定を使用して、予め設定されているＩＤ等によって画像形成装置１の管理者にのみユーザ設定が可能なように、セキュリティが確保されており、このセキュリティ設定でセキュリティを解除した後でないと、ユーザ設定を行うことができないようになっている。
【００３７】
画像形成装置１は、上述のようにして、省電力移行設定が行われた状態で、コントローラ２が、省電力遷移要求が発生したかチェックして、省電力遷移管理処理を実行する（ステップＳ１０１）。この省電力遷移要求は、上記操作表示部６の省電力キー２３の操作、コントローラ２の内部でカウントしているタイマが予め設定されている省電力遷移待ち時間をタイムアップした場合及び画像形成装置１の電源キーの押下によっても発生する。
【００３８】
ステップＳ１０１で、省電力遷移要求がないときには、コントローラ２は、省電力遷移管理処理を終了する。
【００３９】
ステップＳ１０１で、省電力遷移要求があると、コントローラ２は、システム省電力移行優先であるか、すなわち、上記初期設定画面である省電力設定画面３１で省電力がシステム省電力移行優先に設定されているかチェックし（ステップＳ１０２）、システム省電力移行優先に設定されていると、省電力状態に移行してもよい安全な状態となるのを待って（ステップＳ１０３）、省電力状態に移行する（ステップＳ１０４）。すなわち、システム設定では、安全を優先させて、省電力状態に移行している。
【００４０】
コントローラ２は、省電力状態に移行すると、操作表示部６のＬＥＤ２１ａ、２３ａ、２４ａ、２５ａ、バナー表示部２７、パネル表示部２８及びエンジン８を制御して適切な省電力状態に制御する（ステップＳ１０５）。
【００４１】
ステップＳ１０２で、システム省電力移行優先でなく、ユーザ設定優先であると、すなわち、上記初期設定画面である省電力設定画面３１で省電力がユーザ優先に設定されていると、コントローラ２は、動作している全てのジョブ、または、エンジン８のプロセスコントロール処理を強制的に終了させるイベントをアプリケーションやエンジン８に通知し（ステップＳ１０６）、通知したイベントの応答を待って全アプリケーション、エンジン８から応答があって、全動作が停止するのを待って（ステップＳ１０７）、省電力状態に移行する（ステップＳ１０８）。
【００４２】
コントローラ２は、省電力状態に移行すると、操作表示部６のＬＥＤ２１ａ、２３ａ、２４ａ、２５ａ、バナー表示部２７、パネル表示部２８及びエンジン８を制御して適切な省電力状態に制御する（ステップＳ１０９）。
【００４３】
このように、本実施例の画像形成装置１は、情報処理装置の接続されたネットワークに接続され、各種資源を使用したプリント処理、コピー処理等の各種アプリケーション処理を行うとともに、所定部分への電源供給を制限して電力消費を削減する省電力モードに移行するに際して、コントローラ２が、操作表示部６またはネットワークを介して情報処理装置でユーザによって設定される省電力モードへの移行条件としてのユーザ設定と予めシステムで設定されている省電力モードへの移行条件としてのシステム設定を切り換える場合に、ユーザ設定とシステム設定のいずれを優先させるかの優先切換設定が操作表示部６または情報処理装置で設定され、アプリケーションの動作中に省電力モード移行条件が発生すると、当該優先切換設定に応じてユーザ設定とシステム設定の切換制御を行って、省電力モードに移行している。
【００４４】
したがって、省電力効果をユーザの望んだ設定で実施することができ、利用性を向上させつつ省電力を向上させることができる。
【００４５】
また、本実施例の画像形成装置１は、ユーザ設定を、アプリケーション毎に設定可能と、アプリケーションの動作中に省電力モード移行条件が発生すると、当該動作中のアプリケーションに対して設定されているユーザ設定とシステム設定の優先切換制御を行って省電力モードに移行している。
【００４６】
したがって、アプリケーション毎に、省電力効果をユーザの望んだ設定で実施することができ、利用性をより一層向上させつつ省電力を向上させることができる。
【００４７】
さらに、本実施例の画像形成装置１は、操作表示部６からの操作による省電力モードへの移行設定において、ユーザ設定を優先させる設定を行う場合には、操作表示部６による当該ユーザ優先設定を画像形成装置１の管理者にのみ許可している。
【００４８】
したがって、画像形成装置１の管理者以外がシステム動作を変更することを防止することができ、システムを安全に動作させることができるとともに、利用性を向上させつつ省電力を向上させることができる。
【００４９】
また、本実施例の画像形成装置１は、ネットワークに接続された情報処理装置からの操作による省電力モードへの移行設定において、ユーザ設定を優先させる設定を行う場合には、当該ネットワークを介しての当該情報処理装置による当該ユーザ設定を画像形成装置１の管理者にのみ許可している。
【００５０】
したがって、ネットワークを介しての操作においても画像形成装置１の管理者以外がシステム動作を変更することを防止することができ、システムを安全に動作させることができとともに、利用性を向上させつつ省電力を向上させることができる。
【００５１】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５２】
コピーアプリケーション、プリンタアプリケーション等のアプリケーションが動作している場合に省電力移行させるときに、利用性を向上させつつ適切に省電力を向上させるデジタル複写装置、アナログ複写装置、複合装置等の画像形成装置に適用することができる。
【図面の簡単な説明】
【００５３】
【図１】本発明の画像形成装置の一実施例を適用した画像形成装置のブロック構成図。
【図２】図１の操作表示部の平面図。
【図３】図２のパネル表示部に表示する省電力設定項目画面の一例を示す図。
【図４】図３の省電力設定項目画面で省電力タグが選択されたときにパネル表示部に表示する省電力設定画面の一例を示す図。
【図５】図１の画像形成装置による省電力遷移管理処理を示すフローチャート。
【符号の説明】
【００５４】
１  画像形成装置
２  コントローラ
３  ハードディスク（ＨＤＤ）
４  ハードディスク制御部
５  ドライバ
６  操作表示部
７  操作表示制御部
８  エンジン
９  エンジン制御部
１０  操作部操作Ｉ／Ｆ
１１  ネットワーク操作Ｉ／Ｆ
２１  スタートキー
２２  テンキー
２３  省電力キー
２４  設定変更メニューキー
２５  アプリケーション切換キー
２６  印刷モード選択キー
２７  バナー表示部
２８  パネル表示部
２１ａ、２３ａ、２４ａ、２５ａ  ＬＥＤ
【図１】
2005205791.tif 000003
【図２】
2005205791.tif 000004
【図３】
2005205791.tif 000005
【図４】
2005205791.tif 000006
【図５】
2005205791.tif 000007